(57)【要約】【課題】犬、猫等のペットを、それらの大きさに関わらず、洗浄及び乾燥可能なペット洗浄装置を提供する。【解決手段】（ａ）ペット８０を囲んで収納する排水口２０付きの容器本体１１と、容器本体１１内に設けられてペット８０に洗浄液及び濯ぎ液を吹き付ける複数の液吹き付け手段と、洗浄液又は濯ぎ液が吹き付けられて濡れたペット８０に風を送り乾燥させる複数の送風口３３とを有する洗浄容器３５と、（ｂ）液吹き付け手段に洗浄液及び濯ぎ液をそれぞれ供給する洗浄液供給手段及び濯ぎ液供給手段と、（ｃ）送風口３３に乾燥用の空気を送るブロア３２とを有し、しかも、洗浄容器３５の底部１２には、洗浄容器３５に収納するペット８０の大きさによって、洗浄容器３５の深さを調整する深さ調整手段３６を備えている。【選択図】        図１
2004242595.tif 000002
【特許請求の範囲】
【請求項１】
（ａ）ペットを囲んで収納する排水口付きの容器本体と、該容器本体内に設けられてペットに洗浄液及び濯ぎ液を吹き付ける複数の液吹き付け手段と、洗浄液又は濯ぎ液が吹き付けられて濡れたペットに風を送り乾燥させる複数の送風口とを有する洗浄容器と、（ｂ）前記液吹き付け手段に洗浄液及び濯ぎ液をそれぞれ供給する洗浄液供給手段及び濯ぎ液供給手段と、（ｃ）前記送風口に乾燥用の空気を送るブロアとを有し、
しかも、前記洗浄容器の底部には、前記洗浄容器に収納するペットの大きさによって、前記洗浄容器の深さを調整する深さ調整手段を備えていることを特徴とするペット洗浄装置。
【請求項２】
（ａ）ペットを囲んで収納する排水口付きの容器本体と、該容器本体内に設けられてペットに洗浄液及び濯ぎ液を供給する液供給口と、洗浄液又は濯ぎ液によって濡れたペットに風を送り乾燥させる複数の送風口とを有する洗浄容器と、（ｂ）前記液供給口に洗浄液及び濯ぎ液をそれぞれ供給する洗浄液供給手段及び濯ぎ液供給手段と、（ｃ）前記送風口に乾燥用の空気を送るブロアとを有し、
しかも、前記洗浄容器の底部には、前記洗浄容器に収納するペットの大きさによって、前記洗浄容器の深さを調整する深さ調整手段を備えていることを特徴とするペット洗浄装置。
【請求項３】
請求項１及び２のいずれか１項に記載のペット洗浄装置において、前記洗浄容器の開口部の大きさは調整可能となっていることを特徴とするペット洗浄装置。
【請求項４】
請求項１〜３のいずれか１項に記載のペット洗浄装置において、前記洗浄液供給手段は、該ペット洗浄装置とは別に配置された湯沸かし器の給湯口に接続される継ぎ手を有し、洗浄液に、該継ぎ手を介して供給されるお湯が使用されていることを特徴とするペット洗浄装置。
【請求項５】
請求項１〜３のいずれか１項に記載のペット洗浄装置において、前記濯ぎ液供給手段は、該ペット洗浄装置とは別に配置された湯沸かし器の給湯口に接続される継ぎ手を有し、濯ぎ液に、該継ぎ手を介して供給されるお湯が使用されていることを特徴とするペット洗浄装置。
【請求項６】
請求項１〜３のいずれか１項に記載のペット洗浄装置において、前記洗浄液供給手段は、水道水の蛇口に接続される継ぎ手と、該継ぎ手から供給される水を加温する加温手段とを有し、洗浄液に、該加温手段を介して供給される水道水が使用されていることを特徴とするペット洗浄装置。
【請求項７】
請求項１〜３のいずれか１項に記載のペット洗浄装置において、前記洗浄液供給手段は、洗浄液を貯留する洗浄液タンクと、該洗浄液タンクから洗浄液を供給するポンプとを有することを特徴とするペット洗浄装置。
【請求項８】
請求項７記載のペット洗浄装置において、前記洗浄容器の排水口には濾過器が設けられ、前記排水口から排出され、前記濾過器によって濾過された洗浄液を、前記洗浄液タンクに再び貯留し、洗浄液を循環させることを特徴とするペット洗浄装置。
【請求項９】
請求項１〜８のいずれか１項に記載のペット洗浄装置において、前記深さ調整手段は、パンタグラフ機構を備えていることを特徴とするペット洗浄装置。
【発明の詳細な説明】
【０００１】
【発明の属する技術分野】
本発明は、犬、猫等のペットを、それらの大きさに関わらず、洗浄及び乾燥可能なペット洗浄装置に関する。
【０００２】
【従来の技術】
従来の動物を収納して洗浄、乾燥するペット洗浄装置には、例えば、動物を収納するボックスの前後板と天板とが左右に分割され、左右に揺動する左右側板に前後板と天板とが連動して左右に開閉する収納ボックスを形成し、温水や洗剤を噴射する洗浄ノズルと、送風機構からの温風を排出する送風ノズルとを収納ボックスの内部に設けることにより、収納ボックスを大きく左右に開口し、動物自身が歩いて収納ボックス内部に入って行けるものがある（例えば、特許文献１参照）。これによって、動物を抱えて収納する必要がなく、中型犬や大型犬のような動物でも、容易に洗浄乾燥することができるようになっている。
【０００３】
【特許文献１】
特許第２６６８６５１号公報
【０００４】
【発明が解決しようとする課題】
しかしながら、特許文献１に記載されているような従来のペット洗浄装置は、前側上部の開口部から、動物の首を出すようにしているが、動物の大きさを考慮して高さ調節ができるような構造にはなっていないため、動物が小さい場合には、動物の足が収納ボックスの底につかず危険である。
本発明はかかる事情に鑑みてなされたもので、犬、猫等のペットを、それらの大きさに関わらず、洗浄及び乾燥可能なペット洗浄装置を提供することを目的とする。
【０００５】
【課題を解決するための手段】
前記目的に沿う第１の発明に係るペット洗浄装置は、（ａ）ペットを囲んで収納する排水口付きの容器本体と、容器本体内に設けられてペットに洗浄液及び濯ぎ液を吹き付ける複数の液吹き付け手段と、洗浄液又は濯ぎ液が吹き付けられて濡れたペットに風を送り乾燥させる複数の送風口とを有する洗浄容器と、（ｂ）液吹き付け手段に洗浄液及び濯ぎ液をそれぞれ供給する洗浄液供給手段及び濯ぎ液供給手段と、（ｃ）送風口に乾燥用の空気を送るブロアとを有し、しかも、洗浄容器の底部には、洗浄容器に収納するペットの大きさによって、洗浄容器の深さを調整する深さ調整手段を備えている。これによって、ペットの大きさにより、洗浄容器の深さを調整して、洗浄、濯ぎ、乾燥を行うことができる。また、液吹き付け手段から勢いよく吹き付ける洗浄液及び濯ぎ液によって、ペットに付着したゴミ等も洗い流すことができると共に、マッサージ効果も期待できる。更に、ペットの洗浄作業、濯ぎ作業、乾燥作業を一つの装置で行うことができる。
【０００６】
前記目的に沿う第２の発明に係るペット洗浄装置は、（ａ）ペットを囲んで収納する排水口付きの容器本体と、容器本体内に設けられてペットに洗浄液及び濯ぎ液を供給する液供給口と、洗浄液又は濯ぎ液によって濡れたペットに風を送り乾燥させる複数の送風口とを有する洗浄容器と、（ｂ）液供給口に洗浄液及び濯ぎ液をそれぞれ供給する洗浄液供給手段及び濯ぎ液供給手段と、（ｃ）送風口に乾燥用の空気を送るブロアとを有し、しかも、洗浄容器の底部には、洗浄容器に収納するペットの大きさによって、洗浄容器の深さを調整する深さ調整手段を備えている。これによって、ペットの大きさにより、洗浄容器の深さを調整して、洗浄、濯ぎ、乾燥を行うことができる。また、洗浄液供給手段及び濯ぎ液供給手段によって、ペットに洗浄液及び濯ぎ液を供給でき、効率よくペットを洗浄することができる。更に、ペット洗浄作業、濯ぎ作業、乾燥作業を一つの装置で行うことができる。
【０００７】
第１及び第２の発明に係るペット洗浄装置において、洗浄容器の開口部の大きさは調整可能とすることができる。これによって、ペットの首の大きさによらず、ペットの頭を洗浄容器から外に出すことができる。
第１及び第２の発明に係るペット洗浄装置において、洗浄液供給手段は、ペット洗浄装置とは別に配置された湯沸かし器の給湯口に接続される継ぎ手を有し、洗浄液に、継ぎ手を介して供給されるお湯を使用してもよい。これによって、湯沸かし器の給湯口に接続して、洗浄液を供給するので、洗浄液を蓄えるタンクを必要とせず、ペット洗浄装置をコンパクトにすることができる。
【０００８】
第１及び第２の発明に係るペット洗浄装置において、濯ぎ液供給手段は、ペット洗浄装置とは別に配置された湯沸かし器の給湯口に接続される継ぎ手を有し、濯ぎ液に、継ぎ手を介して供給されるお湯を使用してもよい。これによって、湯沸かし器の給湯口に接続して、濯ぎ液を供給するので、濯ぎ液を蓄えるタンクを必要とせず、ペット洗浄装置を小さくすることができる。
第１及び第２の発明に係るペット洗浄装置において、洗浄液供給手段は、水道水の蛇口に接続される継ぎ手と、継ぎ手から供給される水を加温する加温手段とを有し、洗浄液に、加温手段を介して供給される水道水を使用してもよい。これによって、水道水の蛇口に接続して、洗浄液を供給するので、洗浄液を蓄えるタンクを必要とせず、ペット洗浄装置を小さくすることができる。また、水道水を利用するので、水道水の給水栓があれば、簡単に洗浄液を供給でき、加温手段により、水道水を温めることができる。
【０００９】
第１及び第２の発明に係るペット洗浄装置において、洗浄液供給手段は、洗浄液を貯留する洗浄液タンクと、洗浄液タンクから洗浄液を供給するポンプとを有してもよい。これによって、予め洗浄液タンクに洗剤を添加することができる。
第１及び第２の発明に係るペット洗浄装置において、洗浄容器の排水口には濾過器が設けられ、排水口から排出され、濾過器によって濾過された洗浄液を、洗浄液タンクに再び貯留させ、洗浄液を循環させることもできる。これによって、濾過器により排水中の汚物は除去され、衛生的である。また、洗浄液が無駄にならない。
第１及び第２の発明に係るペット洗浄装置において、深さ調整手段は、パンタグラフ機構を備えていてもよい。これによって、ペットを洗浄容器内に入れたまま洗浄容器の深さを変えることができる。
【００１０】
【発明の実施の形態】
続いて、添付した図面を参照しつつ、本発明を具体化した実施の形態につき説明し、本発明の理解に供する。
ここで、図１は本発明の第１の実施の形態に係るペット洗浄装置の説明図、図２は同ペット洗浄装置の平断面図、図３は本発明の第２の実施の形態に係るペット洗浄装置の説明図、図４は本発明の第３の実施の形態に係るペット洗浄装置の平断面図、図５は同ペット洗浄装置の正断面図、図６は同ペット洗浄装置の側断面図である。
【００１１】
図１及び図２を参照して、本発明の第１の実施の形態に係るペット洗浄装置１０を説明する。
ペット洗浄装置１０は、洗浄容器３５を備えている。洗浄容器３５は、ペット８０を囲んで収納する排水口２０付きの容器本体１１を有している。容器本体１１は、底部１２及び底部１２の周囲に立設する側部１３〜１６を有する上方開放の箱形となっている。更に、容器本体１１の底部１２の中央部分には、容器本体１１で使用した水を排出する排水口２０が設けられ、排水口２０の先部にはフレキシブルチューブ２１が取付けられている。
【００１２】
また、洗浄容器３５は、容器本体１１内に設けられてペット８０に洗浄液及び濯ぎ液を吹き付ける複数の液吹き付け手段を構成する、複数のノズル２３が所定の間隔で配設された液供給管２２を有している。液供給管２２は、複数、例えば側壁１３〜１６にそれぞれ２本ずつ設けられている。なお、ノズル２３は、ノズル２３から吹き付けられる洗浄液及び濯ぎ液がペット８０に満遍なく吹き付けられるように配置されている。また、それぞれの液供給管２２の基部には、これらを繋ぎ洗浄液及び濯ぎ液を供給する配管２６ａが取付けられている。配管２６ａの基部には、継ぎ手２６が設けられている。
【００１３】
更に、洗浄容器３５は、洗浄液又は濯ぎ液が吹き付けられて濡れたペット８０に風を送り乾燥させる複数の送風口３３を有している。送風口３３は、容器本体１１の側部１３、１５に配設され、容器本体１１の内側に向けて設けられている。ペット８０の洗浄時に洗浄液及び濯ぎ液が送風口３３に入らないように、送風口３３にはシャッター３４が設けられている。更に、送風口３３には、乾燥用の空気を送る温度調節可能なヒータ付のブロア３２が配設されている。
また、容器本体１１にペット８０を収納したときに、ペット８０が首を出す、例えば、円形の開口枠１７が設けられた蓋１８により容器本体１１が閉塞されている。また、開口枠１７にはシリコンゴム、軟質ゴム等で形成され、中央部にペット８０の首を出すための開口部を形成する切れ込み１８ａが設けられたフード１９が取付けられ、ペット８０を傷つけないようにしている。
【００１４】
ペット洗浄装置１０は、液供給管２２に洗浄液を供給する洗浄液供給手段を備えている。洗浄液供給手段は、ペット洗浄装置１０とは別に配置された湯沸かし器２４の給湯口２５に接続される継ぎ手２６ｂと、洗浄容器３５の継ぎ手２６と継ぎ手２６ｂを接続し、液供給管２２に洗浄液を供給するフレキシブルチューブ２７とを備えている。更に、洗浄液供給手段は、洗剤（例えば、シャンプー）が充填された洗剤容器３０と、これに接続された電磁弁付きの洗剤供給管２８とを備え、洗剤供給管２８の他端は、フレキシブルチューブ２７の中間部に接続されている。洗剤容器３０に充填されている洗剤は、洗剤供給管２８の電磁弁を開くことにより、湯沸かし器２４からフレキシブルチューブ２７を介して洗浄容器３５に供給されるお湯に注入される。
【００１５】
ペット洗浄装置１０は、液供給管２２に濯ぎ液を供給する濯ぎ液供給手段を備えている。洗浄液供給手段は、ペット洗浄装置１０とは別に配置された湯沸かし器２４の給湯口２５に接続される継ぎ手２６ｂと、洗浄容器３５の継ぎ手２６と継ぎ手２６ｂを接続し、液供給管２２に濯ぎ液を供給するフレキシブルチューブ２７とを備えている。更に、濯ぎ液供給手段は、濯ぎ剤（例えば、リンス）が充填された濯ぎ剤容器３１と、これに接続された電磁弁付きの濯ぎ剤供給管２９とを備え、濯ぎ剤供給管２９の他端は、フレキシブルチューブ２７の中間部に接続されている。濯ぎ剤容器３１に充填されている濯ぎ剤は、濯ぎ剤供給管２９の電磁弁を開くことにより、湯沸かし器２４からフレキシブルチューブ２７を介して洗浄容器３５に供給されるお湯に注入される。
また、フレキシブルチューブ２７には、洗剤供給管２８及び濯ぎ剤供給管２９との接続部分よりも上流側（継ぎ手２６ｂ側）に弁３１ａが設けられている。
【００１６】
なお、第１の実施の形態では、洗浄液供給手段及び濯ぎ液供給手段を構成する継ぎ手２６ｂ及びフレキシブルチューブ２７は兼用して使用している。
また、本実施の形態では、洗浄容器３５に、フレキシブルチューブ２７を介して、湯沸かし器２４に接続しているが、水道水の蛇口に接続してもよい。この場合には、継ぎ手２６ｂから供給される水を加温する加温手段の一例である電熱ヒータをフレキシブルチューブ２７の途中に設け、更に加温された水道水に、洗剤及び濯ぎ剤を注入してもよい。
【００１７】
洗浄容器３５には、容器本体１１に収納するペット８０の大きさによって、容器本体１１の深さを調整する深さ調整手段が設けられている。本実施の形態では、深さ調整手段として、複数の高さの違うテーブル状の載置台を使用している。容器本体１１の底部１２には、これらの載置台のうち、ペット８０の大きさに合う載置台３６が配置されている。また、深さ調整手段として、ペット８０の大きさに合わせて、板状物を複数枚重ねたものを使用してもよいが、排水口２０を塞がないようにしなければならない。ジャッキやパンタグラフ状の昇降機を有する載置台としてもよく、手動、又は自動で昇降機の高さを調整してもよい。
【００１８】
次に、ペット洗浄装置１０を使用したペットの洗浄方法について説明する。
（１）容器本体１１内に収納するペット８０の大きさに合わせて、高さの違う複数の載置台の中から選択された載置台３６を配置する。ペット８０を載置台３６に載せ、開口枠１７に設けられたフード１９の切れ込み１８ａをペット８０の頭に通し、蓋１８により容器本体１１を閉塞する。
（２）弁３１ａを開き、湯沸かし器２４からお湯を供給すると共に、洗剤供給管２８の電磁弁を開き、洗剤容器３０に充填されたシャンプーをお湯の中に注入して、お湯とシャンプーを混合した洗浄液を作り、この洗浄液を液供給管２２を介して、ノズル２３からペット８０に吹き付け、ペット８０を洗浄する。
（３）洗剤供給管２８の電磁弁を閉じ、湯沸かし器２４から供給されるお湯をペット８０に吹き付け、ペット８０に吹き付けられた洗浄液を洗い流す。
【００１９】
（４）濯ぎ剤供給管２９の電磁弁を開き、濯ぎ剤容器３１に充填されたリンスをお湯の中に注入して、濯ぎ液とし、この濯ぎ液を液供給管２２を介して、ノズル２３からペット８０に吹き付け、ペット８０にリンスを行う。
（５）濯ぎ剤供給管２９の電磁弁を閉じ、お湯だけをペット８０に吹き付け、ペット８０に吹き付けられた余分な濯ぎ液を流す。
（６）湯沸かし器２４からのお湯の供給を停止すると共に、送風口３３を閉塞しているシャッター３４を開く。
（７）ブロア３２から発生する温風を送風口３３からペット８０に吹き付けて、濡れたペット８０を乾燥する。
（８）乾燥終了後、ペット８０を取り出して、ペット８０の洗浄を終了する。
【００２０】
図３を参照して、本発明の第２の実施の形態に係るペット洗浄装置３７を説明する。なお、ペット洗浄装置１０と同一の構成要素については同一の番号を付してその詳しい説明を省略する。
ペット洗浄装置３７は、洗浄容器３７ａを備えている。洗浄容器３７ａは、ペットを囲んで収納する排水口２０付きの容器本体１１を有している。容器本体１１は、底部１２及び底部１２の周囲に立設する側部１３〜１６を有する上方開放の箱形となっている。更に、容器本体１１の底部１２の中央部分には、容器本体１１で使用した水を排出する排水口２０が設けられている。排水口２０には、電磁弁３８が取付けられ、電磁弁３８の下方には濾過器３９が設けられている。更に、濾過器３９には、フレキシブルチューブ４０が取付けられている。また、容器本体１１の側部１４下側には、排水口２０とは別に、コック４１付きの排水口４２が設けられている。
【００２１】
また、洗浄容器３７ａは、容器本体１１の底部１２に設けられ、ペットに洗浄液及び濯ぎ液をそれぞれ供給する液供給口である洗浄液供給口５１、濯ぎ液供給口５３を有している。また、容器本体１１の側部１６には、図示しない湯沸かし器から供給するお湯を図示しないフレキシブルチューブを介して、直接容器本体１１に供給するコック付き給水栓５４が配設された給水口５４ａが設けられている。
【００２２】
更に、洗浄容器３７ａは、洗浄液又は濯ぎ液によって濡れたペットに風を送り乾燥させる複数の送風口３３を有している。送風口３３は、容器本体１１の側部１３、１５に配設され、容器本体１１の内側に向けて設けられている。更に、送風口３３にはシャッター３４が設けられている。更に、送風口３３には、乾燥用の空気を送る温度調節可能なヒータ付のブロア３２が配設されている。
また、容器本体１１は、蓋１８により閉塞されている。
【００２３】
更に、ペット洗浄装置３７は、洗浄液供給口５１から容器本体１１に洗浄液を供給する洗浄液供給手段を有している。洗浄液供給手段は、洗浄液を貯留する洗浄液タンク４３、洗浄液タンク４３から洗浄液を容器本体１１に供給するポンプ４４を有している。更に、洗浄液供給手段は、図示しない水道水の蛇口からの水を図示しないフレキシブルチューブを介して供給するコック付き給水栓４８を備えている。
【００２４】
また、ペット洗浄装置３７は、濯ぎ液供給口５３から容器本体１１に濯ぎ液を供給する濯ぎ液供給手段を有している。濯ぎ液供給手段は、濯ぎ液を貯留する濯ぎ液タンク４６、濯ぎ液タンク４６から濯ぎ液を容器本体１１に供給するポンプ４７を有している。更に、濯ぎ液供給手段は、図示しない水道水の蛇口からの水を図示しないフレキシブルチューブを介して供給するコック付き給水栓４９を備えている。
【００２５】
更に、洗浄液タンク４３及び濯ぎ液タンク４６には、それぞれ水道水を温めるためのヒータ４９ａ、４９ｂが備えられ、冬場等の水道水が冷たいときには、水道水を温めて使用することができる。洗浄液タンク４３及び濯ぎ液タンク４６に水道水を貯留したあとに、それぞれに洗剤（例えば、シャンプー）、濯ぎ剤（例えば、リンス）を注入し、洗浄液及び濯ぎ液を作製する。
ここで、洗浄液タンク４３と濯ぎ液タンク４６は、タンク収納容器４５に収納されている。更に、タンク収納容器４５は、上部に洗浄容器３７ａが載せられている。
【００２６】
洗浄容器３７ａには、容器本体１１に収納するペットの大きさによって、容器本体１１の深さを調整する深さ調整手段として、複数の高さの違うテーブル状の載置台を使用している。容器本体１１の底部１２には、これらの載置台のうち、ペットの大きさに合う載置台３６が配置されている。また、深さ調整手段として、ペットの大きさに合わせて、板状物を複数枚重ねたものを使用してもよいが、排水口２０、洗浄液供給口５１、濯ぎ液供給口５３、排水口４２及び給水口５４ａを塞がないようにしなければならない。ジャッキやパンタグラフ状の昇降機を有する載置台としてもよく、手動、又は自動で昇降機の高さを調整してもよい。
【００２７】
次に、ペット洗浄装置３７を使用したペットの洗浄方法について説明する。
（１）洗浄液タンク４３及び濯ぎ液タンク４６に、それぞれコック付き給水栓４８、４９を開けて、水道水を供給し、貯留する。洗浄液タンク４３及び濯ぎ液タンク４６に、それぞれ洗剤（例えば、シャンプー）、濯ぎ液（例えば、リンス）を添加して、それぞれ洗浄液、濯ぎ液とする。場合により、ヒータ４９ａ、４９ｂによって、洗浄液及び濯ぎ液をそれぞれ加温する。
（２）容器本体１１内にペットの大きさに合わせて選択した載置台３６を配置する。ペットを載置台３６に載せ、開口枠１７に設けられたフード１９の切れ込み１８ａをペットの頭に通し、蓋１８により容器本体１１を閉塞する。この時、排水口２０の電磁弁３８は閉止された状態である。
【００２８】
（３）ポンプ４４を稼働して、洗浄液タンク４３内の洗浄液をフレキシブルチューブ５０、洗浄液供給口５１を介して、容器本体１１に供給する。洗浄液は容器本体１１内に溜まり、ペットを覆う。図示しない水流ファンにより、洗浄液が撹拌され、ペットを洗浄する。
（４）洗浄終了後、電磁弁３８を開き、容器本体１１内の洗浄液を濾過器３９で濾過し、フレキシブルチューブ４０を介して、再び、洗浄液タンク４３に貯留する。これにより、洗浄液は再利用される。洗浄液は、濾過器３９によって汚れが取れるまで数回循環させ、再使用することができる。汚れが取れなくなった場合には、コック４１を開き、排水口４２から洗浄液を排出する。
【００２９】
（５）電磁弁３８を閉じ、コック付き給水栓５４から湯沸かし器の給湯口からのお湯を容器本体１１内に供給し、ペットに付着した洗浄液を洗い落とし、コック４１を開き、排水口４２から排水を排出する。図示しない水流ファンを駆動して、お湯を撹拌してもよい。
（６）コック４１を閉じ、ポンプ４７を稼働して、濯ぎ液タンク４６内の濯ぎ液をフレキシブルチューブ５２、濯ぎ液供給口５３を介して、容器本体１１に供給する。濯ぎ液は容器本体１１内に溜まり、ペットを覆う。図示しない水流ファンにより、濯ぎ液が撹拌され、ペットを濯ぐ。
【００３０】
（７）濯ぎ終了後、コック４１を開き、排水口４２から濯ぎ液を排出する。
（８）コック４１を閉じ、コック付き給水栓５４から湯沸かし器の給湯口からのお湯を容器本体１１内に供給し、ペットに付着した濯ぎ液を洗い落とし、コック４１を開き、排水口４２から排水を排出する。
（９）ブロア３２の送風口３３を閉塞しているシャッター３４を開く。
（１０）ブロア３２から発生する温風を送風口３３からペットに吹き付けて、濡れたペットを乾燥する。
（１１）乾燥終了後、ペットを取り出して、ペットの洗浄を終了する。
【００３１】
図４〜図６を参照して、本発明の第３の実施の形態に係るペット洗浄装置５５を説明する。なお、ペット洗浄装置１０、３７と同一の構成要素については同一の番号を付してその詳しい説明を省略する。
ペット洗浄装置５５は、洗浄容器５５ａを備えている。洗浄容器５５ａは、ペットを囲んで収納する容器本体１１を有し、容器本体１１は、底部１２及び底部１２の周囲に立設する側部１３〜１６を有する上方開放の箱形となっている。更に、容器本体１１の底部１２には、容器本体１１で使用した水を排出する排水口２０が設けられて、排水口２０下部には図示しない電磁弁が取付けられている。また、ペットの洗浄時には、蓋１８により、容器本体１１を閉塞している（図１参照）。
【００３２】
また、洗浄容器５５ａは、容器本体１１内に設けられてペットに洗浄液及び濯ぎ液を吹き付ける複数の液吹き付け手段を構成する、複数のノズル５７が所定の間隔で配設された液供給管５６を有している。液供給管５６は、容器本体１１の側部１３、１５、１６の上部側に設けられ、側部１３、１５側には、それぞれ４つのノズル５７が設けられている。液供給管５６の側部１５側には、コック付き配管５８が取付けられ、コック付き配管５８の先部は湯沸かし器２４の給湯口２５に配設された継ぎ手２６ｂと接続されている。なお、ノズル５７は、ノズル５７から吹き付けられる洗浄液及び濯ぎ液がペットに満遍なく吹き付けられるように配置されている。
更に、洗浄容器５５ａは、容器本体１１の底部１２に設けられてペットに洗浄液及び濯ぎ液を供給する液供給口５９が複数、例えば８つ設けらた液供給管６０を有している。
【００３３】
また、洗浄容器５５ａには、容器本体１１の側部１４上部に、２つのオーバーフロー管６１が設けられている。したがって、容器本体１１内に多量に洗浄液又は濯ぎ液が供給された場合でも、余剰な洗浄液及び濯ぎ液がオーバーフロー管６１に送られるので、容器本体１１上部から溢れることはなくなる。更に、オーバーフロー管６１の先部には、洗浄液及び濯ぎ液の汚れを濾過する濾過器６２が設けられ、更に、洗浄液及び濯ぎ液を循環させるポンプ６３が備えられている。ポンプ６３には液供給管６０が取付けられているので、容器本体１１に溜められる洗浄液及び濯ぎ液はポンプ６３によって循環することができる。液供給管６０と液供給管５６は、配管６４によって接続されている。液供給管６０と配管６４は、３方に分岐した接続部６５によって接続されている。また、接続部６５とポンプ６３との間には、コック６６が設けられ、配管６４には、接続部６５と液供給管５６との間にコック６７が設けられている。
【００３４】
更に、洗浄容器５５ａは、洗浄液又は濯ぎ液によって濡れたペットに風を送り乾燥させる複数の送風口７０を有している。送風口７０は、洗浄容器５５ａの外部に設けられた加温機能付きのブロア６８から送られる乾燥した空気を、容器本体１１内に供給する送風管６９に、所定の間隔で多数設けられている。なお、送風管６９は、ブロア６８と接続され、側部１３、１５の中央部に水平に配置される二股の形状となっている。また、送風管６９の二股の部分にはコック７１が設けられ、コック７１の下部には、二股に分かれ容器本体１１の底部１２中央に側部１３と平行配置される多数の空気孔７２を有する空気管７３が取付けられている。
【００３５】
容器本体１１の底部１２には、容器本体１１に収納するペットの大きさによって、容器本体１１の深さを調整する深さ調整手段の一例であるパンタグラフ機構７４が備えられている。パンタグラフ機構７４は、載置台７５を支えるパンタグラフ本体７６、パンタグラフ本体７６の拡縮を行う一対のウォームギア７７、及び自在継ぎ手７８を介してウォームギア７７を回転させるハンドル７９により構成され、ハンドル７９を回転させ、載置台７５の高さを調整する。
【００３６】
次に、ペット洗浄装置５５を使用したペットの洗浄方法について説明する。
（１）ペットの大きさに合わせ、パンタグラフ機構７４のハンドル７９を回転させ、載置台７５の高さの粗調整をして、ペットを載置台７５に載せる。ペットの頭を開口枠１７に設けられたフード１９の切れ込み１８ａに通し、蓋１８により容器本体１１を閉塞する。
（２）コック付き配管５８を介して、湯沸かし器２４の給湯口２５から、お湯を容器本体１１へ供給し、お湯を容器本体１１のオーバーフロー管６１よりも高い位置まで溜める。洗剤を容器本体１１内に添加し、洗浄液とする。
【００３７】
（３）コック６６を開き、ポンプ６３を稼働させる。容器本体１１内のお湯は、オーバーフロー管６１、濾過器６２、ポンプ６３、液供給管６０を介して、液供給口５９から容器本体１１へと循環する。
（４）ペットの洗浄終了後、ポンプ６３を停止し、排水口２０から洗浄液を排出する。
（５）コック付き配管５８を介して、湯沸かし器２４の給湯口２５からお湯を容器本体１１へ供給し、液供給管５６を介して、ノズル５７からお湯をペットに吹き付けて、洗浄液を洗い流す。
【００３８】
（６）排水口２０の電磁弁を閉じ、コック付き配管５８を介して、湯沸かし器２４の給湯口２５からお湯を容器本体１１へ供給し、お湯を容器本体１１のオーバーフロー管６１よりも高い位置まで溜める。濯ぎ剤を容器本体１１内に添加し、濯ぎ液とする。
（７）なお、洗浄液又は濯ぎ液を容器本体１１に溜めているときに、ブロア６８から風を空気管７３を介して、空気孔７２から送って、洗浄液、濯ぎ液に空気（気泡）を注入してもよい。
【００３９】
（８）コック６６を開き、ポンプ６３を稼働させる。容器本体１１内のお湯は、オーバーフロー管６１、濾過器６２、ポンプ６３、液供給管６０を介して、液供給口５９から容器本体１１へと循環する。
（９）ペットの濯ぎ終了後、ポンプ６３を停止し、排水口２０から濯ぎ液を排出する。
（１０）コック付き配管５８を介して、湯沸かし器２４の給湯口２５からお湯を容器本体１１へ供給し、液供給管５６を介して、ノズル５７からお湯をペットに吹き付けて、濯ぎ液を洗い流す。
【００４０】
（１１）ブロア６８を稼働し、コック７１を開き、送風管６９を介して、送風口７０から、ペットに空気を送り、濡れたペットを乾かす。更に、空気管７３を介して、空気孔７２から送風してもよい。この際にブロア６８の加温機能により、温風を吹き付けることもできる。
（１２）乾燥終了後、ペットを取り出して、ペットの洗浄を終了する。
【００４１】
本発明は、前記した実施の形態に限定されるものではなく、本発明の要旨を変更しない範囲での変更は可能であり、例えば、前記したそれぞれの実施の形態や変形例の一部又は全部を組み合わせて本発明のペット洗浄装置を構成する場合も本発明の権利範囲に含まれる。
例えば、前記実施の形態のペット洗浄装置において、洗浄液及び濯ぎ液を吹き付ける液吹き付け手段は、同じノズルを使用したが、それぞれの液体によって別のノズルを用いてもよい。また、洗浄液及び濯ぎ液を容器本体に供給する洗浄液供給手段及び濯ぎ液供給手段は、同じ液供給管を使用したが、それぞれの液体によって別の液供給管を用いてもよい。
【００４２】
更に、液供給管は、側部に各々２本ずつ底部に対して垂直方向に設けたが、液供給管の数、配置方向はこの限りでない。また、液供給管に配設されるノズルの数、液の噴出方向も限定されず、ペットに満遍なく洗浄液、濯ぎ液が吹き付けられればよい。
また、前記実施の形態では洗浄液タンクと濯ぎ液タンクを別々に設けたが、水タンクを設け、ポンプにより容器本体に水を供給する前に、洗剤（シャンプー）や濯ぎ剤（リンス）を添加するようにしてもよい。
更に、前記実施の形態ではシャンプー及びリンスを添加したが、ペットが病気になっているときには、薬剤を添加してもよい。
【００４３】
【発明の効果】
請求項１及びこれに従属する請求項３〜９記載のペット洗浄装置においては、容器本体と、容器本体内に設けられてペットに洗浄液及び濯ぎ液を吹き付ける複数の液吹き付け手段と、濡れたペットに風を送り乾燥させる複数の送風口とを有する洗浄容器と、洗浄液供給手段及び濯ぎ液供給手段と、ブロアとを有し、洗浄容器の底部には、洗浄容器に収納するペットの大きさによって、洗浄容器の深さを調整する深さ調整手段を備えているので、ペットの大きさにより、洗浄容器の深さを調整して、洗浄、濯ぎ、乾燥を行うことができる。また、液吹き付け手段から勢いよく吹き付ける洗浄液及び濯ぎ液によって、ペットに付着したゴミ等も洗い流すことができる。更に、ペットの洗浄作業、濯ぎ作業、乾燥作業を一つの装置で行うことができる。
【００４４】
請求項２及びこれに従属する請求項３〜９記載のペット洗浄装置においては、容器本体と、容器本体内に設けられてペットに洗浄液及び濯ぎ液を供給する液供給口と、濡れたペットに風を送り乾燥させる複数の送風口とを有する洗浄容器と、洗浄液供給手段及び濯ぎ液供給手段と、ブロアとを有し、洗浄容器の底部には、洗浄容器に収納するペットの大きさによって、洗浄容器の深さを調整する深さ調整手段を備えているので、ペットの大きさにより、洗浄容器の深さを調整して、洗浄、濯ぎ、乾燥を行うことができる。また、洗浄液供給手段及び濯ぎ液供給手段によって、ペットに洗浄液及び濯ぎ液を供給でき、効率よくペットを洗浄することができる。更に、ペット洗浄作業、濯ぎ作業、乾燥作業を一つの装置で行うことができる。
【００４５】
特に、請求項３記載のペット洗浄装置においては、洗浄容器の開口部の大きさは調整可能となっているので、ペットの首の大きさによらず、ペットの頭を洗浄容器から外に出すことができる。
請求項４記載のペット洗浄装置においては、洗浄液供給手段は、ペット洗浄装置とは別に配置された湯沸かし器の給湯口に接続される継ぎ手を有し、洗浄液に、継ぎ手を介して供給されるお湯が使用されているので、洗浄液を蓄えるタンクを必要とせず、ペット洗浄装置を小さくすることができる。
【００４６】
請求項５記載のペット洗浄装置においては、濯ぎ液供給手段は、ペット洗浄装置とは別に配置された湯沸かし器の給湯口に接続される継ぎ手を有し、濯ぎ液に、継ぎ手を介して供給されるお湯が使用されているので、濯ぎ液を蓄えるタンクを必要とせず、ペット洗浄装置を小さくすることができる。
特に、請求項６記載のペット洗浄装置においては、洗浄液供給手段は、水道水の蛇口に接続される継ぎ手と、継ぎ手から供給される水を加温する加温手段とを有し、洗浄液に、加温手段を介して供給される水道水が使用されているので、洗浄液を蓄えるタンクを必要とせず、ペット洗浄装置を小さくすることができる。また、水道水を利用するので、水道水の給水栓があれば、簡単に洗浄液を供給でき、加温手段により、水道水を温めることができる。
【００４７】
請求項７記載のペット洗浄装置においては、洗浄液供給手段は、洗浄液を貯留する洗浄液タンクと、洗浄液タンクから洗浄液を供給するポンプとを有するので、予め洗浄液タンクに洗剤を添加することができる。
請求項８記載のペット洗浄装置においては、洗浄容器の排水口には濾過器が設けられ、排水口から排出され、濾過器によって濾過された洗浄液を、洗浄液タンクに再び貯留し、洗浄液を循環させるので、濾過器により排水中の汚物は除去され、衛生的である。また、洗浄液が無駄にならない。
請求項９記載のペット洗浄装置においては、深さ調整手段は、パンタグラフ機構を備えているので、ペットを洗浄容器内に入れたまま洗浄容器の深さを変えることができ、ペットの大きさが変わっても簡単に深さを変えることができる。
【図面の簡単な説明】
【図１】本発明の第１の実施の形態に係るペット洗浄装置の説明図である。
【図２】同ペット洗浄装置の平断面図である。
【図３】本発明の第２の実施の形態に係るペット洗浄装置の説明図である。
【図４】本発明の第３の実施の形態に係るペット洗浄装置の平断面図である。
【図５】同ペット洗浄装置の正断面図である。
【図６】同ペット洗浄装置の側断面図である。
【符号の説明】
１０：ペット洗浄装置、１１：容器本体、１２：底部、１３〜１６：側部、１７：開口枠、１８：蓋、１８ａ：切れ込み、１９：フード、２０：排水口、２１：フレキシブルチューブ、２２：液供給管、２３：ノズル、２４：湯沸かし器、２５、給湯口、２６：継ぎ手、２６ａ：配管、２６ｂ：継ぎ手、２７：フレキシブルチューブ、２８：洗剤供給管、２９：濯ぎ剤供給管、３０：洗剤容器、３１：濯ぎ剤容器、３１ａ：弁、３２：ブロア、３３：送風口、３４：シャッター、３５：洗浄容器、３６：載置台、３７：ペット洗浄装置、３７ａ：洗浄容器、３８：電磁弁、３９：濾過器、４０：フレキシブルチューブ、４１：コック、４２：排水口、４３：洗浄液タンク、４４：ポンプ、４５：タンク収納容器、４６：濯ぎ液タンク、４７：ポンプ、４８、４９：コック付き給水栓、４９ａ、４９ｂ：ヒータ、５０：フレキシブルチューブ、５１：洗浄液供給口、５２：フレキシブルチューブ、５３：濯ぎ液供給口、５４：コック付き給水栓、５４ａ：給水口、５５：ペット洗浄装置、５５ａ：洗浄容器、５６：液供給管、５７：ノズル、５８：コック付き配管、５９：液供給口、６０：液供給管、６１：オーバーフロー管、６２：濾過器、６３：ポンプ、６４：配管、６５：接続部、６６、６７：コック、６８：ブロア、６９：送風管、７０：送風口、７１：コック、７２：空気孔、７３：空気管、７４：パンタグラフ機構、７５：載置台、７６：パンタグラフ本体、７７：ウォームギア、７８：自在継ぎ手、７９：ハンドル、８０：ペット
【図１】
2004242595.tif 000003
【図２】
2004242595.tif 000004
【図３】
2004242595.tif 000005
【図４】
2004242595.tif 000006
【図５】
2004242595.tif 000007
【図６】
2004242595.tif 000008